(57)【要約】【課題】下枠の段差を解消するとともに、安定性もよい複合サッシの下枠構造の提供。【解決手段】窓開口部に装着されるアルミニウム製金属枠と該金属枠の屋内側に配置された樹脂枠とを備えた窓枠内に、屋内側の内障子２と屋外側の外障子からなる１対の引き違い障子を摺動自在に支持した複合サッシにおいて、上記窓枠の下枠１１に設けられた内レール２０と外レール２１との間に、上記障子が閉じた状態で外障子３を支持する外レール２１の屋内側部位には、屋内側の樹脂枠１１ｂと同色の樹脂下枠カバー２５を取り付け、内障子２を支持する内レール２０の屋外側部位には屋外側の金属枠１１ａと同色の金属下枠カバー２６を取り付けた。【選択図】　　　　図５
2004124406.tif 000002
【特許請求の範囲】
【請求項１】
窓開口部に装着されるアルミニウム製金属枠と該金属枠の屋内側に配置された樹脂枠とを備えた窓枠内に、屋内側の内障子と屋外側の外障子からなる１対の引き違い障子を摺動自在に支持した複合サッシにおいて、上記窓枠の下枠に設けられた内レールと外レールとの間に、上記障子が閉じた状態で外障子を支持する外レールの屋内側部位には、屋内側の樹脂枠と同色の樹脂下枠カバーを取り付け、内障子を支持する内レールの屋外側部位には屋外側の金属枠と同色の金属下枠カバーを取り付けた
ことを特徴とする複合サッシの下枠構造。
【請求項２】
前記樹脂下枠カバーと金属下枠カバーとの間には、中央気密ブロックが配置された、請求項１記載の複合サッシの下枠構造。
【発明の詳細な説明】
【０００１】
【発明の属する技術分野】
本発明は、金属枠と樹脂枠とからなる複合サッシの下枠構造に関する。
【０００２】
【従来技術とその問題点】
従来から、開口部に装着されるアルミニウム製金属枠と該金属枠の屋内側に配置された樹脂枠とを備えた窓枠内に、屋内側の内障子と屋外側の外障子からなる１対の引き違い障子を摺動自在に支持した複合サッシが普及している。その中で、窓枠の下枠構造として、外障子を支持する外レールと内障子を支持する内レールとの間に合成樹脂のカバーを配置したものが知られている（例えば、特許文献１、２参照）。
【０００３】
【特許文献１】
特開２００２−１８０７５１号公報（明細書段落「００２２」「００２３」図６〜図８）
【特許文献２】
特許第３２６６２３３号公報（明細書段落「００１８」〜「００２０」、図３）
【０００４】
【発明が解決しようとする課題】
しかしながら、従来の樹脂カバーは下枠の半分にのみ配置されたものであるから、同じ下枠の外レールと内レールとの間に段差が生じて外観が損なわれるという問題がある。
【０００５】
また、樹脂カバーは下枠の半分にのみ配置される構造であるから、見付け方向に移動しやすく、安定性に問題があった。
【０００６】
本発明は上記問題点を解消し、下枠の段差を解消するとともに、安定性もよい複合サッシの下枠構造を提供することをその課題とする。
【０００７】
【課題を解決するための手段】
前記課題を解決するため、本発明に係る複合サッシの下枠構造は、窓開口部に装着されるアルミニウム製金属枠と該金属枠の屋内側に配置された樹脂枠とを備えた窓枠内に、屋内側の内障子と屋外側の外障子からなる１対の引き違い障子を摺動自在に支持した複合サッシにおいて、上記窓枠の下枠に設けられた内レールと外レールとの間に、上記障子が閉じた状態で外障子を支持する外レールの屋内側部位には、屋内側の樹脂枠と同色の樹脂下枠カバーを取り付け、内障子を支持する内レールの屋外側部位には屋外側の金属枠と同色の金属下枠カバーを取り付けたことを特徴とする。
【０００８】
なお、前記樹脂下枠カバーと金属下枠カバーとの間には、中央気密ブロックを配置するのが好ましい。
【０００９】
【発明の実施の形態】
図１は本発明に係る窓サッシの正面図、図２は図１のＸ−Ｘ線上の拡大断面図であり、図３は同じくＹ−Ｙ線上の拡大断面図である。
【００１０】
図１〜図３において符号１は窓枠を示す。この窓枠１は建物の開口部の外側に取り付けられ、内側に内障子２と外障子３とからなる１対の引き違い障子を摺動自在に収納している。
【００１１】
窓枠１と障子２、３はそれぞれ金属部と樹脂部とから構成され、全体として複合サッシを構成している。なお、ここでは金属部ａと樹脂部ｂとが色違いになっており、例えば金属部ａが白色で、樹脂部ｂが茶色に着色されているものとする。
【００１２】
内障子２、外障子３の上框５、下框６及び左右の縦框７は、それぞれアルミニウム又はその合金から成る金属部ａと、金属部ａの屋内側に添設されたポリ塩化ビニル等の樹脂部ｂとを一体的に結合してなるもので、内障子２、外障子３は閉じた状態（図１の状態）で屋内に面する部分はガラス部分を除き全て樹脂部ｂによって構成されている。また、屋外側の障子２、３の召し合せ框の外側縁は金属部ａで形成されているので、屋外に面する部分には全て金属部ａが露出している。なお、各障子の内側にはペアガラス８が装着されている。
【００１３】
次に、窓枠１は上枠１０と下枠１１と左右の縦枠１２とを方形に枠組みして成るもので、上記各枠部材もアルミニウム又はその合金製の金属枠とポリ塩化ビニル等の樹脂枠とからなる複合サッシ材である。
【００１４】
上枠１０は上部の金属枠１０ａと下部の樹脂枠１０ｂとを一体に結合したもので、金属部ａの取付縁１３と樹脂枠１０ｂの屋内側の取付縁１４を窓開口部１５の上部材１５ａにネジ止めすることにより固定されている。
【００１５】
下枠１１は金属枠１１ａの上面の一部に樹脂枠１１ｂを一体に結合したもので、金属枠１１ａは、建物躯体の窓開口部１５の下部材１５ｂの外側面に取り付けられる取付縁１６と、取付縁１６の屋外側に突出する中空部１８と、中空部１８の上方に突出した網戸レール１９と２本の障子用内レール２０と外レール２１とから成っている。これに対し、樹脂枠１１ｂは、屋内側の内レール２０の屋内側全長に配設され、屋内側には、窓開口部１５の下部材１５ｂの上面に固定するための取付縁２２が形成されている。
【００１６】
なお、下枠１１は２つの取付縁１６、２２を窓開口部１５の下部材１５ｂの外側面と上面にネジ止めすることにより固定されている。
【００１７】
縦枠１２は金属枠１２ａの屋内側に面する部位に樹脂枠１２ｂを一体に結合したもので、縦枠１２は取付縁２４を窓開口部１５の側部材１５ｃの外側面にネジ止めすることにより固定されている。
【００１８】
前記構成によれば、それぞれ金属部ａと樹脂部ｂとを結合してなる複合サッシ材により窓枠１と障子２、３とから引き違い窓が形成され、しかもこの引き違い窓は、窓枠１の上枠１０の下面及び屋内に対面する部位と、下枠１１の上面でかつ上記障子２、３が閉じた状態で屋内に対面する部位と、縦枠１２の屋内側の側面でかつ上記障子２、３が閉じた状態で屋内に対面する部位及び屋内に対面する部位とには、それぞれ樹脂枠１０ｂ、１１ｂ、１２ｂが配置され、また障子２、３の框の屋内に面する部位に樹脂部ｂが配置されている。要するに、障子２、３を閉じた状態で屋内に面する部位はほとんど樹脂部ｂによって構成されている。したがって、障子２、３を閉じた状態で外気温は屋内側に対し有効に断熱されるから、トータルとしての断熱性に優れ、結露も有効に防止することができる。
【００１９】
次に、上記下枠１１の内レール２０と外レール２１との間には、図４〜図７に示されるように、樹脂下枠カバー２５と金属下枠カバー２６が取り付けられている。
【００２０】
すなわち、図４（ａ）（ｂ）に示されるように、下枠１１に設けられた内レール２０の屋外側面と外レール２１の屋内側面の各中途部には係合突部２７ａと係合溝２７ｂが形成されている。また、閉じ状態のときに内障子２を支持する側の内レール２０の端部には切欠き２８が形成され、該切欠き２８には内障子２を止めるための戸当りブロック２９が嵌めこみ固定されている。
【００２１】
樹脂下枠カバー２５はポリ塩化ビニル等の合成樹脂からなり、板状カバー部２５ａの下方に脚部３２を形成したもので、その長さは上記下枠１１の略半分に形成されている。また、樹脂下枠カバー２５は屋内側の樹脂枠１１ｂと同じ茶色に着色されている。さらに、両側にはフィルタ付き排水口３３が形成されているとともに、上記戸当りブロック２９に対応する部分は切欠きされている。
【００２２】
上記樹脂下枠カバー２５は、図３に示されるように、上記障子２、３が閉じた状態で外障子３を支持する外レール２１の屋内側部位に配置され、図４（ａ）に示されるように、カバー部２５ａの屋内側端部を内レール２０の屋外側面の係合突部２７ａに係合させたのち、屋外側の脚部３０の上端を下枠１１の外レール２１の屋内側面の係合溝２７ｂに弾発的に係合させることによって取り付けられている。なお、戸当りブロック２９は樹脂下枠カバー２５の切欠き２８部に嵌合している。
【００２３】
金属下枠カバー２６はアルミニウムまたはその合金からなり、板状カバー部２６ａの下方に脚部３４を形成したもので、その断面形状は樹脂下枠カバー２５と同じ大きさに形成され、その長さは上記下枠１１の略半分に形成されている。また、金属下枠カバー２６は屋外側の金属枠１１ａと同じ白色に着色されている。さらに、両側には排水口３６が形成されている。
【００２４】
上記金属下枠カバー２６は、図３に示されるように、内障子２を支持する内レール２０の屋外側部位に配置され、樹脂下枠カバー２５と同様に、図４（ｂ）に示されるように、カバー部２６ａの屋内側端部を内レール２０の屋外側面の係合突部２７ａに係合させたのち、屋外側の脚部３４の上端を下枠１１の外レール２１の屋内側面の係合溝２７ｂに弾発的に係合させることによって取り付けられている。
【００２５】
なお、樹脂下枠カバー２５と金属下枠カバー２６は上記下枠１１の半分よりも少し小さい程度に形成し、図５〜図７に示されるように、両カバー２５、２６の間の間隙には中央気密ブロック３７を配置するのが好ましい。中央気密ブロック３７はゴム、合成樹脂等の弾性体から成り、上部に複数の気密片を起立形成したもので、内障子２と外障子３の閉じ時には両障子の召し合せ框の間から外気が屋内側に進入しないようにするためのものである。なお、樹脂下枠カバー２５と金属下枠カバー２６とを突合せ連続し、その中央部分に中央気密ブロック３７を配置する構成でもよく、その際中央気密ブロック３７を樹脂下枠カバー２５と一体に形成してもよい。なお、中央気密ブロック３７の屋外側には網戸用の気密ブロック３８が配置されている。
【００２６】
上記樹脂下枠カバー２５と中央気密ブロック３７と金属下枠カバー２６とを突合せ連続させることによって下枠１１と同じ長さになるように設定されている。
【００２７】
上記構成によれば、下枠１１の内レール２０と外レール２１との間には樹脂下枠カバー２５と（中央気密ブロック３７と）金属下枠カバー２６とを突合せ連続させることによって高さが同じ一連のカバーが形成されているので、樹脂カバーのみを設けたことによる段差が解消されるだけでなく、内レール２０と外レール２１との間の溝が全体的に底上げされ、見た目の体裁がよくなる。また、樹脂下枠カバー２５も金属下枠カバー２６も見付け方向に移動することがなく、常に安定した状態となる。
【００２８】
また、内障子２と外障子３とが閉じた状態では、茶色の樹脂下枠カバー２５は屋内側の樹脂枠１１ｂと同色であり、白色の金属下枠カバー２６は屋外側の金属枠１１ａと同色であるから、屋内側からみた内観だけでなく屋外側からみた外観も向上する。
【００２９】
【発明の効果】
請求項１に係る発明によれば、下枠の内レールと外レールとの間には樹脂下枠カバーと金属下枠カバーとを突合せ連続させることによって高さが同じ一連のカバーが形成されているので、樹脂カバーのみを設けたことによる段差が解消されるだけでなく、内レールと外レールとの間の溝が全体的に底上げされ、見た目の体裁がよくなる。また、樹脂下枠カバーも金属下枠カバーも見付け方向に移動することがなく、常に安定した状態となる。
【００３０】
また、内障子と外障子とが閉じた状態では、樹脂下枠カバーの色は屋内側の樹脂枠と同色であり、金属下枠カバーの色は屋外側の金属枠と同色であるから、屋内側からみた内観だけでなく屋外側からみた外観も向上する。
【００３１】
請求項２に係る発明によれば、中央気密ブロックによって、内障子と外障子との召し合せ框間の気密を保持することができる。
【図面の簡単な説明】
【図１】本発明に係る窓サッシの正面図
【図２】図１のＸ−Ｘ線上の拡大断面図
【図３】図１のＹ−Ｙ線上の拡大断面図
【図４】（ａ）（ｂ）は図３のＡ−Ａ線及びＢ−Ｂ線上の拡大断面図
【図５】下枠の平面図
【図６】上記下枠の斜視図
【図７】上記下枠の他の角度から見た斜視図
【符号の説明】
２　内障子
３　外障子
１５　窓開口部
２０　内レール
２１　外レール
２５　樹脂下枠カバー
２６　金属下枠カバー
【図１】
2004124406.tif 000003
【図２】
2004124406.tif 000004
【図３】
2004124406.tif 000005
【図４】
2004124406.tif 000006
【図５】
2004124406.tif 000007
【図６】
2004124406.tif 000008
【図７】
2004124406.tif 000009